(57)【特許請求の範囲】
【請求項１】
輪状ステータコア(1)を有し第１軸受(20)が設けられたケース(12)と、前記ケース(12)の開口端部(13)に設けられた第２軸受(21)を有するベアリングハウス(14)と、前記輪状ステータコア(1)に設けられ、ＲＶＤＴステータ巻線(4)が巻回された複数の突出磁極(2)と、前記各軸受(20,21)を介して回転自在に設けられると共にロータ(18)を有するロータ軸(19)と、前記ＲＶＤＴステータ巻線(4)に接続されたリード線(5)と、よりなり、前記リード線(5)を介して前記ステータ巻線(4)に対する信号の送受を行うように構成したＲＶＤＴのリード線引出し構造において、
前記突出磁極(2)の第１位置(A)側のＲＶＤＴステータ巻線(4)の端線の接続部(30)に接続された前記リード線(5)は、前記各突出磁極(2)間のスロット(11)内を経て、前記第１位置(A)とは反対側に位置する第２位置(B)側から前記ケース(12)の孔(24)を貫通して外部に引出されている構成としたことを特徴とするＲＶＤＴのリード線引出し構造。
【請求項２】
前記リード線(5)は、前記ケース(12)の外周面(4a)に設けられたタイラップ(25)により、前記外周面(4a)に拘束されている構成としたことを特徴とする請求項１記載のＲＶＤＴのリード線引出し構造。
【請求項３】
前記リード線(5)は、熱収縮チューブ(23)によって束ねられている構成としたことを特徴とする請求項１又は２記載のＲＶＤＴのリード線引出し構造。
【請求項４】
前記突出磁極(2)は、前記輪状ステータコア(1)に４個配設され、前記スロット(11)は、前記各突出磁極(2)間に設けられている構成よりなることを特徴とする請求項１ないし３の何れかに記載のＲＶＤＴのリード線引出し構造。
【発明の詳細な説明】
【技術分野】
【０００１】
本発明は、ＲＶＤＴ（周知の回転型差動変圧器）のリード線引出し構造に関し、特に、ＲＶＤＴステータ巻線に接続されたリード線を各突出磁極間に形成されたスロット及びケースの孔を介して外部に引出すことにより、リード線の引出しに対する強度及び信頼性を向上させるための新規な改良に関する。
【背景技術】
【０００２】
従来、用いられていたこの種のＲＶＤＴのリード線引出し構造としては、例えば、複数のレゾルバからなる回転センサを用いた構成としては、例えば、特許文献１の例を挙げることができるが、前述の回転センサのリード線引出し構造としては、図７から図１１で示される構成が採用されている。
【０００３】
すなわち、図７から図１１において符号１で示されるものは、複数の突出磁極２を所定角度間隔で有する輪状ステータコアであり、前記輪状ステータコア１の両端には、図１０で示される輪状のキャップ３が前記輪状ステータコア１を挟持する状態で装着されている。
【０００４】
前記突出磁極２に巻回されたＲＶＤＴステータ巻線４の端線(図示せず)は、リード線５に接続された後に結束ひも６で一体状に結束されて外部に引出されている。
前記各キャップ３の上部には、ポッティング７が施されており、露出していたＲＶＤＴステータ巻線４の外面を覆うように構成されている。
前記リード線５とＲＶＤＴステータ巻線４は結束ひも６のみによって、前記輪状ステータコア１側に設けられていた。
【先行技術文献】
【特許文献】
【０００５】
【特許文献１】特開２０１０−２８６２７４号公報
【発明の概要】
【発明が解決しようとする課題】
【０００６】
従来のＲＶＤＴのリード線引出し構造は、以上のように構成されていたため、次のような課題が存在していた。
すなわち、リード線とＲＶＤＴステータ巻線との接続手段は、結束ひものみであるため、ＲＶＤＴを他の装置(図示せず)等に取り付ける場合には、リード線に触れたり、吊下げたりして運ぶこともあり、その場合には、結束ひもが切れることもあり、ＲＶＤＴの扱いには神経を使うこととなっていた。
【０００７】
本発明は、以上のような課題を解決するためになされたもので、特に、ＲＶＤＴステータ巻線に接続されたリード線を各突出磁極間に形成されたスロット及びケースの孔を介して外部に引出すことにより、リード線の引出しに対する信頼性を向上させるようにしたＲＶＤＴのリード線引出し構造を提供することを目的とする。
【課題を解決するための手段】
【０００８】
本発明によるＲＶＤＴのリード線引出し構造は、輪状ステータコアを有し第１軸受が設けられたケースと、前記ケースの開口端部に設けられた第２軸受を有するベアリングハウスと、前記輪状ステータコアに設けられ、ＲＶＤＴステータ巻線が巻回された複数の突出磁極と、前記各軸受を介して回転自在に設けられると共にロータを有するロータ軸と、前記ＲＶＤＴステータ巻線に接続されたリード線と、よりなり、前記リード線を介して前記ステータ巻線に対する信号の送受を行うように構成したＲＶＤＴのリード線引出し構造において、前記突出磁極の第１位置側のＲＶＤＴステータ巻線の端線の接続部に接続された前記リード線は、前記各突出磁極間のスロット内を経て、前記第１位置とは反対側に位置する第２位置側から前記ケースの孔を貫通して外部に引出されている構成であり、また、前記リード線は、前記ケースの外周面に設けられたタイラップにより、前記外周面に拘束されている構成であり、また、前記リード線は、熱収縮チューブによって束ねられている構成であり、また、前記突出磁極は、前記輪状ステータコアに４個配設され、前記スロットは、前記各突出磁極間に設けられている構成である。
【発明の効果】
【０００９】
本発明によるＲＶＤＴのリード線引出し構造は、以上のように構成されているため、次のような効果を得ることができる。
すなわち、輪状ステータコアを有し第１軸受が設けられたケースと、前記ケースの開口端部に設けられた第２軸受を有するベアリングハウスと、前記輪状ステータコアに設けられ、ＲＶＤＴステータ巻線が巻回された複数の突出磁極と、前記各軸受を介して回転自在に設けられると共にロータを有するロータ軸と、前記ＲＶＤＴステータ巻線に接続されたリード線と、よりなり、前記リード線を介して前記ステータ巻線に対する信号の送受を行うように構成したＲＶＤＴのリード線引出し構造において、前記突出磁極の第１位置側のＲＶＤＴステータ巻線の端線の接続部に接続された前記リード線は、前記各突出磁極間のスロット内を経て、前記第１位置とは反対側に位置する第２位置側から前記ケースの孔を貫通して外部に引出されている構成としたことにより、リード線が、スロットを貫通すると共にケースの孔を貫通しているため、リード線への負荷に対するロバスト性の向上となると共に、組立作業時間の短縮化を実現できる。
また、前記リード線は、前記ケースの外周面に設けられたタイラップにより、前記外周面に拘束されている構成としたことにより、このタイラップの拘束によってリード線がケースに強固に取り付けられ、リード線とＲＶＤＴステータ巻線との接続は安定を保つことができ、ＲＶＤＴの信頼性を向上させることができる。
また、前記リード線は、熱収縮チューブによって束ねられている構成としたことにより、リード線の外皮を強力に保護することができる。
また、前記突出磁極は、前記輪状ステータコアに４個配設され、前記スロットは、前記各突出磁極間に設けられている構成よりなることにより、４個のスロットが形成され、ＲＶＤＴステータ巻線とリード線を接続した位置のスロットとは別のスロットを用いてリード線を引出すことができ、リード線の安定性を自在に設定することができる。
【図面の簡単な説明】
【００１０】
【図１】本発明によるＲＶＤＴのリード線引出し構造を示す断面構成である。
【図２】図１の要部の断面図である。
【図３】図１の要部の断面図である。
【図４】図１の要部の右側面図である。
【図５】本発明におけるＲＶＤＴの組立完成状態の外観図である。
【図６】図５で示すＲＶＤＴのケースの一部を除去した状態を示す側面図である。
【図７】従来のＲＶＤＴの輪状ステータコアの外観図である。
【図８】図７の輪状ステータコアの拡大斜視図である。
【図９】図８の要部の拡大構成図である。
【図１０】従来及び本発明におけるキャップを示す斜視図である。
【図１１】従来のＲＶＤＴの輪状ステータコアの斜視図である。
【発明を実施するための形態】
【００１１】
本発明によるＲＶＤＴのリード線引出し構造は、ＲＶＤＴステータ巻線に接続されたリード線を各突出磁極間に形成されたスロット及びケースの孔を介して外部に引出すことにより、リード線の引出しに対する信頼性を向上させることである。
【実施例】
【００１２】
以下、図面と共に本発明によるＲＶＤＴのリード線引出し構造の好適な実施の形態について説明する。
尚、従来例と同一又は同等部分には、同一符号を用いて説明する。
図１は本発明によるＲＶＤＴのリード線引出し構造の全体構成の断面図である。
図１において、符号１で示されるものは輪状ステータコアであり、前記輪状ステータコア１の両端には、輪状をなすキャップ３が設けられている。
【００１３】
前記各キャップ３は、前述の図１０に特に示されているように、前記輪状ステータコア１の４個の突出磁極２を挟持することができるように設けられ、前記各突出磁極２にＲＶＤＴステータ巻線４を巻回するための絶縁キャップの作用を有している。
前記輪状ステータコア１の４個の前記突出磁極２間には、図４で示されるように、各々１個のスロット１１が形成され、前記各突出磁極２には前記ギャップ３を介してＲＶＤＴステータ巻線４が巻回されている。
【００１４】
前記輪状ステータコア１の各スロット１１に巻回された前記ＲＶＤＴステータ巻線４は、図３の部分断面図に示されるように構成されており、前記ＲＶＤＴステータ巻線４の端線(図示せず)にはリード線５が接続されている。
【００１５】
前述の図３のように、前記キャップ３を介して前記各突出磁極２にＲＶＤＴステータ巻線４を有する輪状ステータコア１は、図１で示されるように、断面コ字型、すなわち、カップ型をなすケース１２の内壁１２ａに挿入して配設されている。
前記輪状ステータコア１は、前記内壁１２ａの段部１２ａＡに位置しており、前記ケース１２の開口端部１３には、断面コ字型、すなわち、カップ型をなすベアリングハウス１４が嵌め込み式に挿入されている。
【００１６】
前記ケース１２には、第１軸受２０が設けられ、前記ベアリングハウス１４には第２軸受２１が設けられ、前記第２軸受２１はＣ型止め輪２２によって前記ベアリングハウス１４内に固定され、各軸受２０,２１間にはロータ１８を有するロータ軸１９が回転自在に設けられている。
前記ＲＶＤＴステータ巻線４の端線(図示せず)は、熱収縮チューブ２３で覆われたリード線５が接続されており、前記リード線５は、前記スロット１１を貫通し、かつ、前記ケース１２の孔２４を経て外部に引出され、前記ケース１２の外周面４ａのタイラップ２５によって固定されている。
【００１７】
前記リード線５の引出し構造の詳細は、図２に示されている。
すなわち、前記突出磁極２の第１位置Ａ側のＲＶＤＴステータ巻線４の端線の接続部３０に接続された前記リード線５は、前記各突出磁極２間のスロット１１内を経て、前記第１位置Ａとは反対側に位置する第２位置Ｂ側から前記ケース１２の孔２４を貫通して外部に引出されている。
【００１８】
尚、前記リード線５が貫通するスロット１１は、前記接続部３０が位置する位置のスロット１１ではなく、前記接続部３０の隣り又はこれから離間した位置のスロット１１を貫通した後に前記孔２４を貫通させるように構成すると、より強くリード線５を固定することができる。
【００１９】
図３は、前記突出磁極２に前記ＲＶＤＴステータ巻線４が巻回され、かつ、前記リード線５が引出されている状態を示している。
図４は、各突出磁極２に前記ＲＶＤＴステータ巻線４が巻回それていると共に、リード線５が各スロット１１間に引き回されている状態が示されている。
【００２０】
図５は、本発明により構成された輪状ステータコア１を用いたＲＶＤＴ１０にリード線５が接続された状態を示し、図６は、前述のように、前記スロット１１を前記リード線５が貫通して外部に引出されている状態を示している。
【００２１】
尚、本発明によるＲＶＤＴのリード線引出し構造の要旨とするところは、以下の通りである。
すなわち、輪状ステータコア１を有し第１軸受２０が設けられたケース１２と、前記ケース１２の開口端部１３に設けられた第２軸受２１を有するベアリングハウス１４と、前記輪状ステータコア１に設けられ、ＲＶＤＴステータ巻線４が巻回された複数の突出磁極２と、前記各軸受２０，２１を介して回転自在に設けられると共にロータ１８を有するロータ軸１９と、前記ＲＶＤＴステータ巻線４に接続されたリード線５と、よりなり、前記リード線５を介して前記ステータ巻線４に対する信号の送受を行うように構成したＲＶＤＴのリード線引出し構造において、前記突出磁極２の第１位置Ａ側のＲＶＤＴステータ巻線４の端線の接続部３０に接続された前記リード線５は、前記各突出磁極２間のスロット１１内を経て、前記第１位置Ａとは反対側に位置する第２位置Ｂ側から前記ケース１２の孔２４を貫通して外部に引出されている構成であり、また、前記リード線５は、前記ケース１２の外周面４ａに設けられたタイラップ２５により、前記外周面４ａに拘束されている構成であり、また、前記リード線５は、熱収縮チューブ２３によって束ねられている構成であり、また、前記突出磁極２は、前記輪状ステータコア１に４個配設され、前記スロット１１は、前記各突出磁極２間に設けられている構成である。
【産業上の利用可能性】
【００２２】
本発明によるＲＶＤＴのリード線引出し構造は、ＲＶＤＴのステータ巻線の端線に接続されたリード線を、スロットを貫通させた後にケースの孔を貫通させてケース外に引出し、さらに、ケースの外周面にてタイラップで締結することにより、リード線をケースに強固に取付けることができ、ＲＶＤＴの信頼性を従来よりも大幅に向上できる。
【符号の説明】
【００２３】
１    輪状ステータコア
２    突出磁極
３    キャップ
４    ＲＶＤＴステータ巻線
４ａ    外周面
５    リード線
１０    ＲＶＤＴ
１１    スロット
１２    ケース
１３    開口端部
１４    ベアリングハウス
１８    ロータ
１９    ロータ軸
２０    第１軸受
２１    第２軸受
２３    熱収縮チューブ
２４    孔
２５    タイラップ
Ａ    第１位置
Ｂ    第２位置
【図１】
0006661850.tif 000002
【図２】
0006661850.tif 000003
【図３】
0006661850.tif 000004
【図４】
0006661850.tif 000005
【図５】
0006661850.tif 000006
【図６】
0006661850.tif 000007
【図７】
0006661850.tif 000008
【図８】
0006661850.tif 000009
【図９】
0006661850.tif 000010
【図１０】
0006661850.tif 000011
【図１１】
0006661850.tif 000012